(57)【要約】【課題】  満タン検出器の作動検査を容易化することができる遊技機を提供する。【解決手段】  遊技機の後側に球払出装置８５が配設され、その球払出装置８５から払い出された球が上皿連絡路９５を経て上皿５７に払い出され、上皿５７に所定以上の球が溜られた状態になったときに上皿連絡路９５の球を下皿３２に誘導する下皿用球誘導路１０４が形成される。下皿用球誘導路１０４内に球が満タンとなったときにその球の重量によって回動される満タン作動体１３０と、その満タン作動体１３０の回動を検出する満タン検出器１２１とが配設されている。【選択図】        図１４
2006061234.tif 000002
【特許請求の範囲】
【請求項１】
遊技機の後側に球払出装置が配設され、その球払出装置から払い出された球が上皿連絡路を経て上皿に払い出され、上皿に所定以上の球が溜られた状態になったときに上皿連絡路の球を下皿に誘導する下皿用球誘導路が形成され、前記下皿用球誘導路内に球が満タンとなったときにその球の重量によって回動される満タン作動体と、その満タン作動体の回動を検出する満タン検出器とが配設されていることを特徴とする遊技機。
【発明の詳細な説明】
【技術分野】
【０００１】
この発明は球（パチンコ球）を用いて遊技を行う遊技機に関する。
【背景技術】
【０００２】
球を用いて遊技を行う遊技機（例えば、パチンコ機）においては、遊技機の後側に球払出装置が配設され、その球払出装置から払い出された球が上皿連絡路を経て上皿に払い出されるようになっている。
従来、遊技機の後側の裏機構盤に、上皿に払い出された球が満杯になったときに、上皿連絡路の球を下皿に導く下皿用球誘導路が設けられ、その下皿用球誘導路に対し、満タン作動体（オーバーフロー検出体）と、その満タン作動体の回動を検出する満タン検出器（オーバーフロー検出センサ）とが配置される。
そして、満タン検出器あるいは満タン作動体が裏機構盤の後側から直接手動操作され、満タン検出器が正常に作動するか否かを検査していた。
ところが、近年、遊技機の高機能化、不正対策等の理由から、従来と変わらない配置スペースしかない遊技機の後側に対し、多種、多様の回路基板ボックス（払出制御基板ボックス、主制御基板ボックス、副制御基板ボックス、インタフェース基板ボックス等）や装備品が装着される構造となってきている。このため、満タン作動体及び満タン検出器は、遊技機の後面から見て奥まった位置に配置されることになり、満タン検出器の作動検査が困難になってきている。
このようなことから、満タン検出器が正常に作動するか否かを検査するために、満タン作動体の下部に、操作部を下向きに延出し、その操作部を作業者の指によって操作可能に、裏機構盤（オーバーフロー樋）の下端部に指差込み用開口部が形成されている構造のものが知られている（例えば、特許文献１参照）。
【特許文献１】特開平１１ー７６５４４号公報
【発明の開示】
【発明が解決しようとする課題】
【０００３】
ところで、前記従来のものにおいては、裏機構盤（オーバーフロー樋）の下端部に形成される指差込み用開口部は、オーバーフロー樋の蓋板によって覆い隠され、その指差込み用開口部が視認し難い状態にある。
このため、作業者は勘に頼って指差込み用開口部に指を差し込んで満タン作動体の操作部を操作しなければならない。
また、裏機構盤（オーバーフロー樋）の下端部に指差込み用開口部が形成されるため、その指差込み用開口部の下方に接近して他の部材を配置することができない。
すなわち、指差込み用開口部の下方に作業者の指が差し込み可能な空間を隔てて他の部材を配置しなければならず、他の部材の配置設計の自由度が制限される、という問題点があった。
【０００４】
この発明の目的は、前記問題点に鑑み、下皿用球誘導路を有する誘導カバー体の後方又は側方から満タン作動体を視認した状態で、その満タン作動体を容易に回動させることができ、満タン検出器の作動検査を容易化するとともに、誘導カバー体の下方に接近して他の部材を配置することが可能で、他の部材の配置設計の自由度を高めることができる遊技機を提供することである。
【課題を解決するための手段】
【０００５】
前記目的を達成するために、請求項１の発明に係る遊技機は、
「遊技機の後側に球払出装置が配設され、その球払出装置から払い出された球が上皿連絡路を経て上皿に払い出され、上皿に所定以上の球が溜られた状態になったときに上皿連絡路の球を下皿に誘導する下皿用球誘導路が形成された遊技機であって、
前記遊技機の後側には、前記下皿用球誘導路が内部に形成された誘導カバー体が設けられ、
前記誘導カバー体の内部には、前記下皿用球誘導路内に球が満タンとなったときにその球の重量によって回動される満タン作動体と、その満タン作動体の回動を検出する満タン検出器とが配設され、
前記誘導カバー体の後壁と外側壁とのうち、少なくとも一方には、前記満タン作動体が視認可能な状態で棒状材が挿入されることによって前記満タン作動体を回動させることが可能な検出器検査孔が形成されていることを特徴とする遊技機。」
を要旨とするものである。
【０００６】
前記構成において、満タン作動体を回動させて満タン検出器の作動検査を行う場合、誘導カバー体の後壁又は外側壁に形成された検出器検査孔に棒状材を挿入し、かつ満タン作動体を視認した状態で、その棒状材によって満タン作動体を回動させることができるため、満タン検出器の作動検査を容易に行うことができる。
また、誘導カバー体の後壁又は外側壁に検出器検査孔が形成されるため、誘導カバー体の下方に接近して他の部材を配置することが可能となり、他の部材の配置設計の自由度を高めることができる。
【０００７】
請求項２の発明に係る遊技機は、
「請求項１に記載の遊技機であって、
遊技機の後面視において、誘導カバー体の右側の外側壁は、遊技機の右外端に位置し、
前記右側の外側壁に検出器検査孔が形成されていることを特徴とする遊技機。」
を要旨とするものである。
【０００８】
前記構成において、遊技機の後面視において右外端に位置する誘導カバー体の右側の外側壁に検出器検査孔が形成されることで、誘導カバー体の後側に各種の装備品が装着されたとしても、誘導カバー体の右側の外側壁に検出器検査孔に棒状材を挿入して満タン作動体を回動させることができる。
言い換えると、誘導カバー体の後側を、各種の装備品を装着するスペースとして使用可能になるとともに、誘導カバー体の後側に各種の装備品が単層あるいは積層状に装着された場合においても、誘導カバー体の右側の外側壁の検出器検査孔が誘導カバー体の後側の装備品によって覆い隠される不具合が生じない。
【０００９】
請求項３の発明に係る遊技機は、
「請求項１に記載の遊技機であって、
検出器検査孔は、誘導カバー体の後壁と外側壁の２箇所に形成されていることを特徴とする遊技機。」
を要旨とするものである。
【００１０】
前記構成において、誘導カバー体の後壁と外側壁の２箇所に検出器検査孔が形成されるため、検査作業がし易い方の検出器検査孔を選択して、その検出器検査孔に棒状材を挿入し、かつ満タン作動体を視認した状態で、その棒状材によって満タン作動体を回動させることができるため、満タン検出器の作動検査をより一層容易に行うことができる。
【００１１】
請求項４の発明に係る遊技機は、
「請求項１〜３のいずれか一項に記載の遊技機であって、
満タン検出器は光学式検出器によって構成される一方、誘導カバー体は不透明な合成樹脂材によって形成されていることを特徴とする遊技機。」
を要旨とするものである。
【００１２】
前記構成において、非接触の光学式検出器によって満タン検出器が構成されるため、マイクロスイッチ等の接触式検出器と比べ耐久性の向上を図ることができる。
さらに、不透明な合成樹脂材によって誘導カバー体が形成されることで、外部からの光を誘導カバー体によって遮光することができ、外部からの光によって光学式検出器が誤動作される不具合を防止することができる。
【００１３】
請求項５の発明に係る遊技機は、
「請求項３に記載の遊技機であって、
誘導カバー体は、その後壁面を装備品が着脱可能に装着される装着面としていることを特徴とする遊技機。」
を要旨とするものである。
【００１４】
前記構成において、誘導カバー体の後壁面の装着面に装備品が装着される前の状態においては、誘導カバー体の後壁の検出器検査孔に棒状材を挿入して、満タン検出器の作動検査を行うことができる。
また、誘導カバー体の後壁面の装着面に装備品が装着された状態においては、外側壁の検出器検査孔に棒状材を挿入して、満タン検出器の作動検査を行うことができる。
【００１５】
請求項６の発明に係る遊技機は、
「請求項５に記載の遊技機であって、
誘導カバー体の装着面には、装備品としての回路基板ボックスがヒンジ機構によって回動可能に装着されていることを特徴とする遊技機。」
を要旨とするものである。
【００１６】
前記構成において、誘導カバー体の後壁面の装着面に対しヒンジ機構によって回路基板ボックスを回動した状態において、誘導カバー体の後壁面（装着面）の検出器検査孔に棒状材を挿入して、満タン検出器の作動検査を行うことができる。
このため、満タン検出器の作動検査を行う場合、回路基板ボックスを取り外す煩わしさを解消することができる。
【００１７】
請求項７の発明に係る遊技機は、
「請求項１〜６のいずれか一項に記載の遊技機であって、
検出器検査孔は、満タン作動体の回動方向に棒状材を移動案内可能な長孔状に形成されていることを特徴とする遊技機。」
を要旨とするものである。
【００１８】
前記構成において、長孔状の検出器検査孔の一端部に棒状材を挿入し、その検出器検査孔の他端部に向けて棒状材を移動案内することで、満タン作動体を容易にかつ確実に回動させることができ、満タン検出器の作動検査をより一層容易にかつ正確に行うことができる。
【発明の効果】
【００１９】
この発明によれば、誘導カバー体の後壁又は外側壁に形成された検出器検査孔に棒状材を挿入し、かつ満タン作動体を視認した状態で、その棒状材によって満タン作動体を回動させることができるため、満タン検出器の作動検査を容易に行うことができる。
また、誘導カバー体の後壁又は外側壁に検出器検査孔が形成されるため、誘導カバー体の下方に接近して他の部材を配置することが可能となり、他の部材の配置設計の自由度を高めることができる。
【発明を実施するための最良の形態】
【００２０】
次に、この発明を実施するための最良の形態を実施例にしたがって説明する。
【実施例】
【００２１】
図１は遊技機の外枠の一側に本体枠が開かれその本体枠の一側にガラス扉が開かれた状態を示す斜視図である。図２は遊技機の前側全体を示す正面図である。図３は遊技機の後側全体を示す背面図である。図４は遊技機の本体枠の後側に各種部材が組み付けられた状態を斜め左下後方から示す斜視図である。図５は遊技機の本体枠と遊技盤とを分離して示す斜視図である。図６は本体枠の後側に各種部材が組み付けられた状態を斜め右上後方から示す斜視図である。図７は本体枠の後側に設けられた上皿連絡路と誘導カバー体の下皿用球誘導路との関係を破断して示す斜視図である。図８は誘導カバー体の後面の装着面にインタフェース基板ボックスが装着された状態を示す背面図である。図９は誘導カバー体の後面の装着面にインタフェース基板ボックスが装着された状態を示す図８のＩＸ−ＩＸ線に基づく平断面図である。図１０は誘導カバー体の後面の装着面にインタフェース基板ボックスが装着された状態を示す図８のＸ−Ｘ線に基づく平断面図である。図１１は誘導カバー体の後面の装着面にインタフェース基板ボックスが装着された状態を示す斜視図である。図１２は誘導カバー体の後面の装着面に対しインタフェース基板ボックスが取り外された状態を示す斜視図である。図１３は誘導カバー体の後面の装着面に対しインタフェース基板ボックスがヒンジピンを支点として回動された状態を示す斜視図である。図１４は誘導カバー体の下皿用球誘導路、光学式検出器及び満タン作動体の関係を示す斜視図である。図１５は満タン作動体を拡大して前方から示す斜視図である。図１６は満タン作動体の非作動状態を示す説明図である。図１７は満タン作動体が作動された状態を示す説明図である。図１８は満タン作動体と第１、第２の検出器検査孔との関係を示す説明図である。なお、説明の便宜上、遊技機において遊技者側を前、反対側を後として説明する。
【００２２】
［遊技機の概要について］
図１〜図３に示すように、遊技機としてのパチンコ機は、外枠１０、本体枠２０、遊技盤４０、ガラス扉５０等を備えて構成されている。
外枠１０は、上下左右の枠材によって縦長四角形の枠状に形成され、同外枠１０の前側下部には、本体枠２０の下面を受ける下受板１５を有している。
外枠１０の前面の片側には、本体枠開閉用ヒンジ機構１９によって本体枠２０が前方に開閉可能に装着されている。
【００２３】
［本体枠について］
図４〜図６に示すように、本体枠２０は、前枠体２１、遊技盤装着枠２２及び機構装着体２３を合成樹脂材によって一体成形することで構成されている。
本体枠２０の前側に形成された前枠体２１は、外枠１０の前側の下受板１５を除く外郭形状に対応する大きさの矩形枠状に形成されている。
また、図５と図６に示すように、前枠体２１の中央部には遊技盤装着枠２２が形成され、その遊技盤装着枠２２の後側に機構装着体２３が形成されている。
【００２４】
［本体枠の遊技盤装着枠と遊技盤について］
図１と図５に示すように、本体枠２０の遊技盤装着枠２２は、前枠体２１の中央部後側に設けられかつ遊技盤４０が前方から着脱交換可能に嵌込まれ適宜の固定手段によって取付られるようになっている。
図１と図５に示すように、遊技盤４０は、遊技盤装着枠２２の前方から嵌込まれる大きさの略四角板状に形成されている。遊技盤４０の盤面（前面）には、外レールと内レールとを備えた案内レール４１が設けられ、その案内レール４１の内側に遊技領域４２が区画形成されている。
【００２５】
図１に示すように、遊技盤４０には、その遊技領域４２内において、遊技に関する役物装置、例えば、センタ役物と呼ばれる役物装置４３、入賞装置、風車器、誘導釘、ランプ装飾部材等の各種の装備品が配設されている。
また、役物装置４３の役物本体４４には、その略中央部に開口窓が形成され、役物本体４４の後側には、その開口窓に臨んで図柄表示装置（例えば、液晶表示器、ＥＬ表示器，プラズマ表示器，ＣＲＴ等）４５が装着されている。
また、図５に示すように、図柄表示装置４５の後側には、図柄制御基板４６が収納された図柄基板ボックス４７が装着されている。
【００２６】
図３と図５に示すように、遊技盤４０の後側下部には、その中央部から下部にわたる部分において、各種入賞装置に流入した球を受けかつその球を所定位置まで導く集合樋としての機能とボックス装着部としての機能を兼ね備えたボックス装着台４８が設けられている。このボックス装着台４８の後側には、副制御基板７８が収納された副制御基板ボックス７７が装着され、その副制御基板ボックス７７の後側に重ね合わされた状態で、主制御基板７６が収納された主制御基板ボックス７５が装着されている。
さらに、遊技盤４０の後側に対しボックス装着台４８、副制御基板ボックス７７及び主制御基板ボックス７５がそれぞれ装着された状態において、本体枠２０の遊技盤装着枠２２の前方からその遊技盤装着枠２２内に遊技盤４０を嵌込んで装着できるように、遊技盤４０の外郭より外側にはみ出すことなくボックス装着台４８、副制御基板ボックス７７及び主制御基板ボックス７５が配置されている。
【００２７】
また、主制御基板７６は遊技の進行を制御し、副制御基板７８は周辺機器を制御する。すなわち、主制御基板７６からの遊技に関する信号を受けた副制御基板７８は、図柄制御基板４６を介して図柄表示装置４５に表示を行う。
また、図柄制御基板４６は、遊技用信号を表示用信号に変換して図柄表示装置４５に伝達する。図柄表示装置４５は大当たりの抽選図柄が変動表示可能となっている。
【００２８】
［本体枠の前枠体の前側下部の装備品について］
図１と図５に示すように、本体枠２０の前枠体２１前面の下部領域の上側部分には遊技盤４０の発射通路に向けて球を導く発射レール３０が傾斜状に装着され、下部領域の下側部分には、下部前面板３１が装着されている。この下部前面板３１の前面略中央部には、下皿３２が設けられ、片側（図１に向かって右側）寄りには操作ハンドル３３が設けられている。
【００２９】
［ガラス扉について］
図１と図２に示すように、本体枠２０の前枠体２１の前面の片側には、その前枠体２１の上端から下部前面板３１の上縁にわたる部分を覆うようにしてガラス扉５０が扉開閉用ヒンジ機構４９によって前方に開閉可能に装着されている。ガラス扉５０のヒンジ機構４９と反対側に自由端側の後側には、次に述べる施錠装置６０の扉施錠フック６２に係脱可能に係合してガラス扉５０を閉じ状態に施錠する閉止具５４が設けられている。
【００３０】
図１と図２に示すように、ガラス扉５０の略中央部には、遊技盤４０の遊技領域４２を前方から透視可能な略円形の開口窓５１が形成されている。また、ガラス扉５０の後側には開口窓５１よりも大きな矩形枠状をなす窓枠５２が設けられ、その窓枠５２には、ガラス板、透明樹脂板等より形成される窓板５３が装着されている。
また、図２に示すように、ガラス扉５０の前側の上部には上部電飾装置５５が配設され左右両側部にはサイド電飾装置５６が配設されている。これによってガラス扉５０の前面の略全体が電飾されるようになっている。また、ガラス扉５０の前側下部には上皿５７が設けられている。
【００３１】
［施錠装置について］
図１と図４に示すように、前枠体２１のヒンジ機構と反対側に自由端側の後側には、外枠１０に対し本体枠２０を施錠する機能と、本体枠２０に対しガラス扉５０を施錠する機能とを兼ね備えた施錠装置６０が装着されている。
すなわち、施錠装置６０は、外枠１０に設けられた閉止具１７に係脱可能に係合して本体枠２０を閉じ状態に施錠する上下複数の本体枠施錠フック６１と、ガラス扉５０の自由端側の後側に設けられた閉止具５４に係脱可能に係合してガラス扉５０を閉じ状態に施錠する上下複数の扉施錠フック６２とを備えている。また、扉施錠フック６２は、前枠体２１を貫通してその前枠体２１から前方に向けて突出され、ガラス扉５０後側の閉止具５４に係脱可能に臨んでいる。
【００３２】
また、施錠装置６０はシリンダー錠６３を備え、そのシリンダー錠６３の前端部は、遊技機の前方から鍵を挿入されて解錠操作可能に、前枠体２１及び下部前面板３１を貫通してその下部前面板３１の前面に露出されている（図２参照）。
そして、シリンダー錠６３の鍵穴に鍵が挿入されて一方向に回動操作されることで本体枠施錠フック６１と外枠１０の閉止具１７との係合が外れて本体枠２０が解錠され、これとは逆方向に回動操作されることで、扉施錠フック６２とガラス扉５０の閉止具５４との係合が外れてガラス扉５０が解錠されるようになっている。
【００３３】
［本体枠の前枠体の後側下部及び機構装着体の装備品について］
図３と図４に示すように、前枠体２１の後側において、遊技盤装着枠２２よりも下方に位置する前枠体２１の後下部領域の片側（図４に向かって左側）には、発射レール３０の下傾端部の発射位置に送られた球を発射するための発射ハンマー６６、その発射ハンマー６６を作動する発射モータ６５等が装着されている。
また、図４に示すように、前枠体２１の後下部領域の略中央部には、電源基板７１を有する電源基板ボックス７０が装着され、その電源基板ボックス７０後側に重ね合わされた状態で払出制御基板７４を有する払出制御基板ボックス７３が装着されている。
【００３４】
図３、図４及び図６に示すように、本体枠２０の機構装着体２３の上部後側には、島設備から供給される多数の球が貯留可能な球タンク８０と、その球タンク８０の下方に連通するタンクレール８１とが配設されている。
また、本体枠２０の機構装着体２３の片側（図３に向かって右側）寄りの上下方向には、球通路、球払出用回転体、球払出モータ等を備えてユニット化された球払出装置８５が装着されている。
また、図７に示すように、本体枠２０の機構装着体２３には、球払出装置８５の下端に隣接して、上皿連絡路９５が形成される通路構成体９４が装着されている。
なお、通路構成体９４の上皿連絡路９５は、球払出装置８５の賞球及び貸球用球通路の球払出口から流出した球を上皿５７に導くためのものであり、その上皿連絡路９５には所定量の球を貯留可能な球貯留部９６を備えている。さらに、通路構成体９４には、上皿連絡路９５の球貯留部９６の片側に位置して仕切壁９７が形成され、その仕切壁９７を隔てて分岐路９８が形成されている。そして、上皿５７に払い出された球が満杯となり、上皿連絡路９５の球貯留部９６の仕切壁９７から球が溢れると、その球が分岐路９８を通して後述する誘導カバー体１００の下皿用球誘導路１０４に流れるようになっている。
【００３５】
［本体枠のスピーカボックスについて］
図５、図６及び図７に示すように、本体枠２０の前枠体２１の前側において、遊技盤装着枠２２よりも下方に位置する前枠体２１の下部領域の一側（図５では左側）寄りには、本体枠２０を合成樹脂材によって形成すると同時にスピーカボックス９０が一体に形成されている。
スピーカボックス９０は、前方に開口し後側（奥側）が後壁によって塞がれた箱形状に形成されている。そして、スピーカボックス９０の前側開口部には、遊技に関連して演出音を発するスピーカ９２がスピーカ装着体（スピーカカバー）９１によって装着されている。また、スピーカボックス９０の後壁部の上半部には、次に述べる誘導カバー体１００に対する凹み部９０ａが形成されている。
【００３６】
［本体枠の後側下部の誘導カバー体について］
図７に示すように、本体枠３０の前枠体３５の後下部領域の他側寄り部分（ヒンジ寄り部分）、この実施例では、スピーカボックス９０の後壁部の凹み部９０ａには、通路構成体９４の下端に隣接しかつ同通路構成体９４の分岐路９８に連通する下皿用球誘導路１０４を有する誘導カバー体１００が装着されている。
誘導カバー体１００は、不透明な合成樹脂材によって形成されるとともに、図１４に示すように、後壁１０１と、その後壁１０１の内側周縁部に形成された周壁１０２とを一体に備え、後壁１０１の内面側には、下皿用球誘導路１０４が形成されている。
【００３７】
この実施例において、図１４〜図１６に示すように、下皿用球誘導路１０４は、上皿連絡路９５の分岐路９８の直下に連通する上下方向の球流入口１０４ａと、その球流入口１０４ａの下端部に連通して下向き傾斜状をなす傾斜誘導部１０４ｂと、その傾斜誘導部１０４ｂの下傾端に形成されかつ球を前方の下皿３２に導く球流出部１０４ｃと、を備えている。
また、下皿用球誘導路１０４の球流入口１０４ａの外側の通路壁は誘導カバー体１００の周壁１０２のうちの外側壁１０３によって形成され、傾斜誘導部１０４ｂの下側の通路壁は同周壁１０２のうちの下側傾斜壁１０２ｂによって形成されている。遊技機の後面視において、誘導カバー体１００の右側の外側壁１０３は、遊技機の右外端に位置している。
また、誘導カバー体１００の後壁１０１の内面側には、球流入口１０４ａの内側の通路壁１０５ａと、傾斜誘導部１０４ｂの上側の通路壁１０５ｂとが一体に形成されている。
【００３８】
［誘導カバー体の満タン作動体及び満タン検出器について］
図１４〜図１６に示すように、誘導カバー体１００には、球流入口１０４ａの内側の通路壁１０５ａ、傾斜誘導部１０４ｂの上側の通路壁１０５ｂの球流入側部分、及び周壁１０２の上壁部１０２ｃによって四角形状に囲まれた検出器収納室１０６が形成されている。
図１４と図１６に示すように、検出器収納室１０６の側壁をなす球流入口１０４ａの内側の通路壁１０５ａには、開口部１０８が形成されている。
また、誘導カバー体１００の検出器収納室１０６には、その開口部１０８を塞ぐようにして満タン作動体１３０が配設されるとともに、その満タン作動体１３０の動きによって、下皿３２から下皿用球誘導路１０４に至る球が満杯状態であることを検出する満タン検出器が配設されている。
この実施例において、満タン検出器として光学式検出器１２１が用いられ、その光学式検出器１２１の発光素子１２２と受光素子１２３は、次に詳述する満タン作動体１３０の被検出部１３６が挿通される溝を隔てて対向状に配置されている。
【００３９】
図１４〜図１６に示すように、満タン作動体１３０は、ボス部１３２と、そのボス部１３２の外周面から開口部１０８を塞ぐようにして下向きに延出されかつ下端部に開口部１０８の下端縁１０８ａに係合するストッパ部１３４を有する本体部１３１と、ボス部１３２の後端部寄りの下部外周と本体部１３１にそれぞれ結合された状態でボス部１３２を中心として略９０度の円弧状をなして延出された円弧部１３５と、その円弧部１３５の外周部から前側に向けて突出されかつ光学式検出器１２１の発光素子１２２と受光素子１２３との間の溝内に挿通可能な略円弧状の被検出部（遮光部）１３６と、円弧部１３５の外周面から外方に突出された重錘１３７と、を一体に備えている。
そして、図１６に示すように、検出器収納室１０６の上隅部に対し、満タン作動体１３０は、そのボス部１３２において軸１３３を中心として揺動可能に装着されるとともに、通常時（非満タン時）には自重によってストッパ部１３４が開口部１０８の下端縁１０８ａに係合する非作動位置に配置されるようになっている。この際、満タン作動体１３０の被検出部１３６が光学式検出器１２１の発光素子１２２と受光素子１２３との間の溝に挿通され、これによって、発光素子１２２が発する光を遮光するようになっている。
【００４０】
図１７に示すように、下皿３２から下皿用球誘導路１０４に溜まる球Ｂが満杯となったとき（所定量を越えたとき）には、その下皿用球誘導路１０４内の球Ｂの荷重によって満タン作動体１３０が、図１７に向かって反時計回り方向に所定角度（例えば、ストッパ部１３４が検出器収納室１０６に突設されたストッパ体１０９に当接する角度）だけ回動（作動）される。そして、満タン作動体１３０の被検出部１３６が光学式検出器１２１の発光素子１２２と受光素子２６７との間の溝から退避することで、発光素子１２２が発する光が受光素子１２３において受けられ、これによって下皿用球誘導路１０４内の球Ｂが満杯となったことを検出するようになっている。
【００４１】
満タン検出器としての光学式検出器１２１は、払出制御基板７４に電気的に接続されている。そして、満タン検出器の検出信号は払出制御基板７４に伝達され、これに基づいて払出制御基板７４から出力される制御信号によって球払出装置８５の払出モータや発射モータ６５が停止されるようになっている。
【００４２】
［誘導カバー体の後壁の装着面に装着されるインタフェース基板ボックスについて］
図８〜図１３に示すように、誘導カバー体１００の後壁１０１の後面を装着面として、インタフェース基板ボックス（この発明の装備品に相当する）１５１が着脱並びに回動可能に装着されている。
すなわち、この実施例においては、図８〜図１３に示すように、誘導カバー体１００の後壁１０１の装着面には、同誘導カバー体１００の外側壁１０３に近傍の上下部にヒンジ孔を有するヒンジボス１１１が一体に形成されている。
また、誘導カバー体１００の後壁１０１の装着面には、同装着面に沿ってインタフェース基板ボックス１５１を係止保持するための横断面略コの字状をなす係止体１１２が後方に向けて直角状に突設されている。この係止体１１２の先端の上下部には、係止爪１１３が一体に形成されている。
【００４３】
一方、インタフェース基板ボックス１５１の側壁部には、ヒンジボス１１１に対応するヒンジピン１５３が一体に形成されている。
また、図９、図１０及び図１３に示すように、インタフェース基板ボックス１５１の自由端側の側壁部には、装着面に接近する底部から係止体１１２の先端に向けて傾斜状をなす弾性閉止片１５５が一体に延出されており、その弾性閉止片１５５の先端の上下部を係止部１５６として係止体１１２の係止爪１１３に係合可能となっている。
さらに、弾性閉止片１５５の先端部には、その上下の係止部１５６の間において操作片１５７が一体に形成されている。そして、操作片１５７を横方向に押圧操作して弾性閉止片１５５を弾性変形させることによって係止爪１１３と係止部１５６との係合が外れるようになっている。
【００４４】
すなわち、インタフェース基板ボックス１５１は、そのヒンジピン１５３がヒンジボス１１１の上方から嵌込まれるた後、誘導カバー体１００の後壁１０１の装着面に沿う状態まで回動されることで、弾性閉止片１５５の係止部１５６が、係止体１１２の係止爪１１３に係合され、これによって、誘導カバー体１００の後壁１０１の装着面に対しインタフェース基板ボックス１５１が閉じ状態で装着されるようになっている。
また、操作片１５７が横方向に押圧操作され、弾性閉止片１５５が弾性変形されて係止爪１１３と係止部１５６との係合が外された状態で、インタフェース基板ボックス１５１が所定位置まで回動され、その後、ヒンジピン１５３がヒンジボス１１１から抜け出る位置までインタフェース基板ボックス１５１が持ち上げられることによって、誘導カバー体１００の後壁１０１の装着面に対しインタフェース基板ボックス１５１が取り外されるようになっている。
なお、インタフェース基板ボックス１５１の内部には、インタフェース基板１５０が収納されており、このインタフェース基板１５０は、遊技機に隣接して設置される球貸機と払出制御基板７４との間に電気的に介在され、球貸に関する信号を球貸機と払出制御基板７４との間で送受信可能に構成されている。
【００４５】
［誘導カバー体の後壁及び外側壁の第１、第２の検出器検査孔について］
図１２〜図１４に示すように、誘導カバー体１００の後壁１０１と外側壁１０３とのうち、少なくとも一方には、満タン作動体１３０が視認可能な状態で棒状材１６１又は１６２が挿入されることによって、満タン作動体１３０を回動させることが可能な検出器検査孔１４０又は１４１が形成されている。すなわち、この実施例においては、誘導カバー体１００の後壁１０１に第１の検出器検査孔１４０が形成され、誘導カバー体１００の外側壁１０３に切り欠き状の第２の検出器検査孔１４１が形成されている。
【００４６】
また、図１２と図１８に示すように、後壁１０１の第１の検出器検査孔１４０は、満タン作動体１３０の本体部１３１及び円弧部１３５の一部が後壁１０１の後方から視認可能でかつ満タン作動体１３０の回動方向に棒状材１６１を移動案内可能な長孔状に形成されている。
また、外側壁１０３の第２の検出器検査孔１４１は、満タン作動体１３０の本体部１３１の一部が外側壁１０３の外側方から視認可能にかつ略Ｕ字形に切り欠き形成されるとともに、棒状材１６２が横方向から挿入され、かつその挿入方向に棒状材１６２を所定長さだけ差し込むことによって満タン作動体１３０が回動されるようになっている。
【００４７】
［この実施例に係る遊技機の作用効果について］
この実施例に係る遊技機は上述したように構成される。
したがって、遊技機に隣接して設置される球貸機（図示しない）から送られる球貸の信号、あるいは、遊技盤４０に装着された各種入賞口に流入した球の検出信号等によって球払出装置８５の球払出モータ（図示しない）が作動される。そして、その球払出モータによって球払出用回転体（図示しない）が所定方向に回転されることで、前記各信号に基づく所定数の球が球払出装置８５の賞球及び貸球用球通路の球払出口から払い出される。
球払出装置８５の賞球及び貸球用球通路の球払出口から払い出された球は、図７に示すように、通路構成体９４の上皿連絡路９５を通して上皿５７に払い出される。
【００４８】
上皿５７に払い出された球が満杯となり、上皿連絡路９５の球貯留部９６の仕切壁９７から球が溢れると、その溢れた球が分岐路９８を通して誘導カバー体１００の下皿用球誘導路１０４に流れ、下皿３２に導かれる。
図１７に示すように、下皿３２から下皿用球誘導路１０４に溜まる球Ｂが満杯となったとき（所定量を越えたとき）には、その下皿用球誘導路１０４内の球Ｂの荷重によって満タン作動体１３０が、図１７に向かって反時計回り方向に所定角度（例えば、ストッパ部１３４が検出器収納室１０６に突設されたストッパ体１０９に当接する角度）だけ回動（作動）される。
そして、満タン作動体１３０の被検出部１３６が光学式検出器１２１の発光素子１２２と受光素子２６７との間の溝から退避することで、発光素子１２２が発する光が受光素子１２３によって受光される。これによって、下皿用球誘導路１０４内の球Ｂが満杯となったことが検出される。すると、その検出信号は、払出制御基板７４に伝達され、これに基づいて払出制御基板７４から出力される制御信号によって球払出装置８５の払出モータや発射モータ６５が停止される。
【００４９】
また、光学式検出器１２１の検出信号が払出制御基板７４に伝達されると、遊技機の所定位置に設置された報知手段（図示しない）が作動し、例えば、報知手段としてのランプを点灯又は点滅させたり、あるいは報知手段としてのスピーカを作動させることによって、下皿から下皿用球誘導路１０４に溜まる球Ｂが満杯であることを報知することもできる。
【００５０】
遊技機の後側の所定位置に誘導カバー体１００を装着する前の状態、あるいは装着後において、誘導カバー体１００の満タン作動体１３０を人為的に回動させて光学式検出器１２１の作動検査を行う場合、図１２と図１３に示すように、誘導カバー体の後壁１０１の第１の検出器検査孔１４０に棒状材１６１を挿入したり、あるいは外側壁１０３に形成された第２の検出器検査孔１４１に棒状材１６２を挿入し、かつ満タン作動体１３０の一部を視認した状態で、その棒状材１６１又は１６２によって満タン作動体１３０を回動させることができるため、光学式検出器１２１の作動検査を容易に行うことができる。
このように、誘導カバー体１００の後壁１０１と外側壁１０３の２箇所に第１、第２の検出器検査孔１４０、１４１が形成されるため、検査作業がし易い方の検出器検査孔１４０又は１４１を選択して、その検出器検査孔１４０又は１４１に棒状材１６１又は１６２を挿入して満タン作動体１３０を回動させることができるため、光学式検出器１２１の作動検査を容易に行うことができる。
【００５１】
また、誘導カバー体１００の後壁１０１の第１の検出器検査孔１４０は、満タン作動体１３０の回動方向に棒状材を移動案内可能な長孔状に形成されている。このため、長孔状の第１の検出器検査孔１４０の一端部に棒状材１６１を挿入し、その第１の検出器検査孔１４０の他端部に向けて棒状材１６１を移動案内することで、満タン作動体１３０を容易にかつ確実に回動させることができ、光学式検出器１２１の作動検査をより一層容易にかつ正確に行うことができる。
【００５２】
また、この実施例において、誘導カバー体１００は、その後壁１０１の後面を装着面として、装備品としてのインタフェース基板ボックス１５１が回動及び着脱可能に装着されている。このため、誘導カバー体１００の後壁１０１の装着面にインタフェース基板ボックス１５１が装着される前の状態においては、誘導カバー体１００の後壁１０１の第１の検出器検査孔１４０に棒状材１６１を挿入して、光学式検出器１２１の作動検査を行うことができる。
【００５３】
また、誘導カバー体１００の後壁１０１の装着面にインタフェース基板ボックス１５１が装着された状態においては、図１３に示すように、誘導カバー体１００の後壁１０１の装着面に対しインタフェース基板ボックス１５１をヒンジピン１５３を支点として適宜位置まで回動した状態において、誘導カバー体１００の後壁１０１の第１の検出器検査孔１４０に棒状材１６１を挿入して、光学式検出器１２１の作動検査を行うことができる。
また、外側壁１０３の第２の検出器検査孔１４１に棒状材１６２を挿入して、光学式検出器１２１の作動検査を行うこともできる。この際、外側壁１０３の第２の検出器検査孔１４１の外側方から棒状材１６２が横方向に挿入され、かつその挿入方向に棒状材１６２が所定長さだけ差し込まれることで、満タン作動体１３０を容易に回動させることができ、光学式検出器１２１の作動検査を容易に行うことができる。
【００５４】
また、この実施例において、満タン検出器として光学式検出器１２１が採用される一方、誘導カバー体１００は不透明な合成樹脂材によって形成されている。このように、非接触の光学式検出器１２１によって満タン検出器が構成されるため、マイクロスイッチ等の接触式検出器と比べ耐久性の向上を図ることができる。
さらに、不透明な合成樹脂材によって誘導カバー体１００が形成されることで、外部からの光を誘導カバー体１００によって遮光することができ、外部からの光によって光学式検出器１２１が誤動作される不具合を防止することができる。
【００５５】
［この発明の他の実施例について］
なお、この発明は前記実施例に限定するものではない。
例えば、前記実施例においては、スピーカボックス９０の後壁部の凹み部９０ａに対し、誘導カバー体１００が装着される場合を例示したが、遊技機の後側の適宜位置に誘導カバー体１００を設置した場合においてもこの発明を実施することができる。
すなわち、下皿用球誘導路１０４を有する誘導カバー体１００の後壁１０１及び外側壁１０３に、第１、第２の検出器検査孔１４０、１４１が形成されるため、誘導カバー体１００の下方に接近して他の部材を配置した場合においても、その他の部材が第１、第２の検出器検査孔１４０、１４１に対する棒状材１６１、１６２の挿入の妨害物となることを回避することができ、他の部材の配置設計の自由度を高めることができる。
【００５６】
また、誘導カバー体１００の後壁１０１又は外側壁１０３の一方の壁に検出器検査孔を形成することによってもこの発明を実施することができる。
また、満タン検出器としては非接触の光学式検出器１２１の他、マイクロスイッチ等の接触式検出器を用いてもこの発明を実施することができる。
また、誘導カバー体は、機構装着体（機構板、裏機構盤等と呼ばれている部材に相当する）に一体に形成される場合においてもこの発明を実施することができる。
【図面の簡単な説明】
【００５７】
【図１】この発明の実施例に係る遊技機の外枠の一側に本体枠が開かれその本体枠の一側にガラス扉が開かれた状態を示す斜視図である。
【図２】同じく遊技機の前側全体を示す正面図である。
【図３】同じく遊技機の後側全体を示す背面図である。
【図４】同じく遊技機の本体枠の後側に各種部材が組み付けられた状態を斜め左下後方から示す斜視図である。
【図５】同じく遊技機の本体枠と遊技盤とを分離して示す斜視図である。
【図６】同じく本体枠の後側に各種部材が組み付けられた状態を斜め右上後方から示す斜視図である。
【図７】同じく本体枠の後側に設けられた上皿連絡路と誘導カバー体の下皿用球誘導路との関係を破断して示す斜視図である。
【図８】同じく誘導カバー体の後面の装着面にインタフェース基板ボックスが装着された状態を示す背面図である。
【図９】同じく誘導カバー体の後面の装着面にインタフェース基板ボックスが装着された状態を示す図８のＩＸ−ＩＸ線に基づく平断面図である。
【図１０】同じく誘導カバー体の後面の装着面にインタフェース基板ボックスが装着された状態を示す図８のＸ−Ｘ線に基づく平断面図である。
【図１１】同じく誘導カバー体の後面の装着面にインタフェース基板ボックスが装着された状態を示す斜視図である。
【図１２】同じく誘導カバー体の後面の装着面に対しインタフェース基板ボックスが取り外された状態を示す斜視図である。
【図１３】同じく誘導カバー体の後面の装着面に対しインタフェース基板ボックスがヒンジピンを支点として回動された状態を示す斜視図である。
【図１４】同じく誘導カバー体の下皿用球誘導路、光学式検出器及び満タン作動体の関係を示す斜視図である。
【図１５】同じく満タン作動体を拡大して前方から示す斜視図である。
【図１６】同じく満タン作動体の非作動状態を示す説明図である。
【図１７】同じく満タン作動体が作動された状態を示す説明図である。
【図１８】同じく満タン作動体と第１、第２の検出器検査孔との関係を示す説明図である。
【符号の説明】
【００５８】
１０  外枠
２０  本体枠
２１  前枠体
２２  遊技盤装着枠
２３  機構装着体
８５  球払出装置
９５  上皿連絡路
１００  誘導カバー体
１０１  後壁
１０３  外側壁
１０４  下皿用球誘導路
１２１  光学式検出器（満タン検出器）
１２２  発光素子
１２３  受光素子
１３０  満タン作動体
１４０  第１の検出器検査孔
１４１  第２の検出器検査孔
１５１  インタフェース基板ボックス（装備品）
【図１】
2006061234.tif 000003
【図２】
2006061234.tif 000004
【図３】
2006061234.tif 000005
【図４】
2006061234.tif 000006
【図５】
2006061234.tif 000007
【図６】
2006061234.tif 000008
【図７】
2006061234.tif 000009
【図８】
2006061234.tif 000010
【図９】
2006061234.tif 000011
【図１０】
2006061234.tif 000012
【図１１】
2006061234.tif 000013
【図１２】
2006061234.tif 000014
【図１３】
2006061234.tif 000015
【図１４】
2006061234.tif 000016
【図１５】
2006061234.tif 000017
【図１６】
2006061234.tif 000018
【図１７】
2006061234.tif 000019
【図１８】
2006061234.tif 000020